【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
低解像度カラービデオ画像フレームのストリームを提供するための低解像度カラーデジタルビデオカメラと、
高解像度単色ビデオ画像フレームのストリームを提供するための高解像度単色デジタルビデオカメラと、
前記低解像度カラーデジタルビデオカメラからのビデオ画像フレームのストリームよりも高い解像度を有するビデオ画像フレームのストリームを取得するために、２つのビデオ画像フレームのストリームを融合させるための画像融合モジュールを含むデジタル処理システムと、
を含むビデオ撮像システムであって、
前記カメラは、前記デジタル処理システムに動作可能に接続され、
前記画像融合モジュールが使用する前記画像融合方法は、計算ベースの融合方法、統計ベースの融合方法、および比率ベースの融合方法から成る群から選択される、ビデオ撮像システム。
【請求項２】
前記カメラのうち少なくとも１つの視野内で動く物体の動きを検出するための物体移動モジュールと、
前記カメラの視野を覆う物体の位置を決定するための物体位置モジュールと、
をさらに含む、請求項１に記載のビデオ撮像システム。
【請求項３】
前記カメラのうち少なくとも１つの視野内で動く物体の動きを検出するための物体移動モジュール
をさらに含む、請求項１に記載のビデオ撮像システム。
【請求項４】
前記カメラの視野を覆う物体の位置を決定するための物体位置モジュール
をさらに含む、請求項１に記載のビデオ撮像システム。
【請求項５】
前記ビデオカメラは、セキュリティ用ビデオカメラ、観察用ビデオカメラ、または監視用ビデオカメラから成る群から選択される、請求項１に記載のビデオ撮像システム。
【請求項６】
２つの画像のうち少なくとも１つの上にある物体の位置から前記物体の２次元座標を決定することによって、前記カメラの視野の重複面積における前記物体の位置を決定するための３次元座標系を提供することと、
前記低解像度カラーデジタルビデオカメラからのビデオ画像フレームのストリームよりも高い解像度を有するビデオ画像フレームのストリームの２つの画像フレーム間の視差から、前記画像フレームの平面に直交する軸における前記カメラから前記物体までの距離を決定することと、
をさらに含む、請求項１に記載のビデオ撮像システム。
【請求項７】
低解像度カラーデジタルビデオカメラから画像フレームのストリームを提供することと、
高解像度単色デジタルビデオカメラから対応する画像フレームのストリームを提供することと、
前記低解像度カラーデジタルビデオカメラからのビデオ画像フレームのストリームよりも高い解像度を有するカラービデオ画像フレームのストリームを取得するために、２つの画像フレームのストリームを融合させることと、
を含む方法であって、
ビデオ画像の２つのストリームを融合させるための画像融合方法は、計算ベースの融合方法、統計ベースの融合方法、および比率ベースの融合方法から成る群から選択される、方法。
【請求項８】
前記ビデオカメラは、セキュリティ用ビデオカメラ、観察用ビデオカメラ、または監視用ビデオカメラから成る群から選択される、請求項７に記載の方法。
【請求項９】
前記カメラのうち少なくとも１つから２つの画像フレームを分離することと、
前記２つの画像フレームを比較することと、
前記２つの画像フレームにおける少なくとも１つの差異を識別することと、
をさらに含む、請求項７に記載の方法。
【請求項１０】
２つの画像のうち少なくとも１つの上にある物体の位置から前記物体の２次元座標を決定することによって、前記カメラの視野の重複面積における前記物体の位置を決定するための３次元座標系を提供することと、
前記低解像度カラーデジタルビデオカメラからのビデオ画像フレームのストリームよりも高い解像度を有するビデオ画像フレームのストリームの２つの画像フレーム間の視差から、前記画像フレームの平面に直交する軸における前記カメラから前記物体までの距離を決定することと、
をさらに含む、請求項７に記載の方法。
【請求項１１】
前記重複面積における物体の動きに少なくとも差異を関連付けること
をさらに含む、請求項７に記載の方法。
【請求項１２】
デジタルビデオカメラであって、
低解像度カラーデジタルセンサと、
高解像度単色デジタルセンサと、
レンズと、
前記カラーおよび単色センサへ前記レンズを通過する入射光を配向するためのビームスプリッタと、
を含む、デジタルビデオカメラと、
前記単色デジタルセンサからのビデオ画像フレームのストリームで前記カラーデジタルセンサからビデオ画像フレームのストリームを融合させるための画像融合モジュールを含むデジタル処理システムであって、前記センサは、前記デジタル処理システムに動作可能に接続される、デジタル処理システムと、
を含む撮像システムであって、
前記画像融合モジュールが使用する前記画像融合方法は、計算ベースの融合方法、統計ベースの融合方法、および比率ベースの融合方法から成る群から選択される、撮像システム。
【請求項１３】
前記ビデオカメラは、セキュリティ用ビデオカメラ、観察用ビデオカメラ、または監視用ビデオカメラから成る群から選択される、請求項１２に記載の撮像システム。
【請求項１４】
デジタルビデオカメラであって、
低解像度カラーデジタルセンサと、
高解像度単色デジタルセンサと、
レンズと、
前記カラーセンサへ前記レンズを通過する入射光を配向する第１位置と前記単色センサへの入射光を配向する第２位置との間で動作可能なミラーと、
を含む、デジタルビデオカメラと、
前記単色デジタルセンサからのビデオ画像フレームのストリームで前記カラーデジタルセンサからビデオ画像フレームのストリームを融合させるための画像融合モジュールを含むデジタル処理システムであって、前記センサは、前記デジタル処理システムに動作可能に接続される、デジタル処理システムと、
を含む撮像システムであって、
前記画像融合モジュールが使用する前記画像融合方法は、計算ベースの融合方法、統計ベースの融合方法、および比率ベースの融合方法から成る群から選択される、撮像システム。
【請求項１５】
前記ビデオカメラは、セキュリティ用ビデオカメラ、観察用ビデオカメラ、または監視用ビデオカメラから成る群から選択される、請求項１４に記載の撮像システム。
【請求項１６】
前記低解像度カラービデオ画像フレームは、少なくとも３つのスペクトル帯を含む複数スペクトル画像フレームである、請求項１乃至６のいずれか１項に記載の撮像システム。
【請求項１７】
低解像度カラーデジタルビデオカメラからのビデオ画像フレームのストリームは、少なくとも３つのスペクトル帯を含む複数スペクトル画像フレームである、請求項７乃至１１のいずれか１項に記載の方法。
【請求項１８】
前記カラーデジタルセンサからのビデオ画像フレームのストリームは、少なくとも３つのスペクトル帯を含む複数スペクトル画像フレームである、請求項１２乃至１５のいずれか１項に記載の撮像システム。
【請求項１９】
低解像度カラービデオ画像フレームのストリームを提供するためのカラーデジタルビデオカメラと、
高解像度単色ビデオ画像フレームのストリームを提供するための単色デジタルビデオカメラと、
前記低解像度カラーデジタルビデオカメラからのビデオ画像フレームのストリームよりも高い解像度を有するビデオ画像フレームのストリームを取得するために前記２つのビデオ画像フレームのストリームを融合させるための画像融合モジュールを含むデジタル処理システムと、
を含むビデオ撮像システムであって、
前記カメラは、前記デジタル処理システムに動作可能に接続され、
前記画像融合モジュールが使用する前記画像融合方法は、計算ベースの融合方法、統計ベースの融合方法、および比率ベースの融合方法から成る群から選択される、ビデオ撮像システム。
【請求項２０】
前記カメラのうち少なくとも１つの視野内の物体の動きを検出するための物体移動モジュールと、
前記カメラの視野を覆う物体の位置を決定するための物体位置モジュールと、
をさらに含む、請求項１９に記載のビデオ撮像システム。
【請求項２１】
前記カメラのうち少なくとも１つの視野内で動く物体の動きを検出するための物体移動モジュール
をさらに含む、請求項１９に記載のビデオ撮像システム。
【請求項２２】
前記カメラの視野を覆う物体の位置を決定するための物体位置モジュール
をさらに含む、請求項１９に記載のビデオ撮像システム。
【請求項２３】
前記ビデオカメラは、セキュリティ用ビデオカメラ、観察用ビデオカメラ、または監視用ビデオカメラから成る群から選択される、請求項１９に記載のビデオ撮像システム。
【請求項２４】
２つの画像のうち少なくとも１つの上にある物体の位置から前記物体の２次元座標を決定することによって、前記カメラの視野の重複面積における前記物体の位置を決定するための３次元座標系を提供することと、
前記低解像度カラーデジタルビデオカメラからのビデオ画像フレームのストリームよりも高い解像度を有するビデオ画像フレームのストリームの２つの画像フレーム間の視差から、前記画像フレームの平面に直交する軸における前記カメラから前記物体までの距離を決定することと、
をさらに含む、請求項１９に記載のビデオ撮像システム。
【請求項２５】
前記低解像度カラービデオ画像フレームは、少なくとも３つのスペクトル帯を含む複数スペクトル画像フレームである、請求項１９乃至２４のいずれか１項に記載の撮像システム。
【請求項２６】
低解像度カラーデジタルビデオ画像フレームのストリームを提供することと、
高解像度単色デジタルビデオ画像フレームの対応するストリームを提供することと、
前記低解像度カラーデジタルビデオ画像フレームのストリームよりも高い解像度を有するカラービデオ画像フレームのストリームを取得するために、ビデオ画像フレームの２つのストリームを融合させることと、
を含む方法であって、
前記デジタルビデオ画像フレームの２つのストリームを融合させるための画像融合方法は、計算ベースの融合方法、統計ベースの融合方法、および比率ベースの融合方法から成る群から選択される、方法。
【請求項２７】
前記低解像度カラーデジタルビデオ画像フレームのストリームは、第１のデジタルビデオカメラによって提供され、前記高解像度単色デジタルビデオ画像フレームのストリームは、第２のデジタルビデオカメラによって提供される、請求項２６に記載の方法。
【請求項２８】
前記低解像度カラーデジタルビデオ画像フレームのストリームおよび前記高解像度単色デジタルビデオ画像フレームのストリームは、デジタルビデオカメラによって提供される、請求項２６に記載の方法。
【請求項２９】
前記カメラは、セキュリティ用ビデオカメラ、観察用ビデオカメラ、または監視用ビデオカメラから成る群から選択される、請求項２６乃至２８のいずれか１項に記載の方法。
【請求項３０】
前記カメラのうち少なくとも１つから２つの画像フレームを分離することと、
前記２つの画像フレームを比較することと、
前記２つの画像フレームにおける少なくとも１つの差異を識別することと、
をさらに含む、請求項２６に記載の方法。
【請求項３１】
２つの画像のうち少なくとも１つの上にある物体の位置から前記物体の２次元座標を決定することによって、前記カメラの視野の重複面積における前記物体の位置を決定するための３次元座標系を提供することと、
前記低解像度カラーデジタルビデオカメラからのビデオ画像フレームのストリームよりも高い解像度を有するビデオ画像フレームのストリームの２つの画像フレーム間の視差から、前記画像フレームの平面に直交する軸における前記カメラから前記物体までの距離を決定することと、
をさらに含む、請求項２６に記載の方法。
【請求項３２】
前記重複面積における物体の動きに少なくとも差異を関連付けること
をさらに含む、請求項２６に記載の方法。
【請求項３３】
前記高解像度単色デジタルビデオカメラからのビデオ画像フレームのストリームは、少なくとも３つのスペクトル帯を含む複数スペクトル画像フレームである、請求項２６乃至３２のいずれか１項に記載の撮像システム。
【請求項３４】
デジタルビデオカメラであって、
カラーデジタルセンサと、
単色デジタルセンサと、
レンズと、
前記カラーおよび単色センサへ前記レンズを通過する入射光を配向するためのビームスプリッタと、
を含む、デジタルビデオカメラと、
前記単色デジタルセンサからのビデオ画像フレームのストリームで前記カラーデジタルセンサからビデオ画像フレームのストリームを融合させるための画像融合モジュールを含むデジタル処理システムであって、前記センサは、前記デジタル処理システムに動作可能に接続される、デジタル処理システムと、
を含む撮像システムであって、
前記画像融合モジュールにより使用される画像融合方法は、計算ベースの融合方法、統計ベースの融合方法、および比率ベースの融合方法から成る群から選択される、撮像システム。
【請求項３５】
前記ビデオカメラは、セキュリティ用ビデオカメラ、観察用ビデオカメラ、または監視用ビデオカメラから成る群から選択される、請求項３４に記載の撮像システム。
【請求項３６】
デジタルビデオカメラであって、
カラーデジタルセンサと、
単色デジタルセンサと、
レンズと、
前記カラーセンサへ前記レンズを通過する入射光を配向する第１位置と前記単色センサへの入射光を配向する第２位置との間で動作可能なミラーと、
を含む、デジタルビデオカメラと、
前記単色デジタルセンサからのビデオ画像フレームのストリームで前記カラーデジタルセンサからビデオ画像フレームのストリームを融合させるための画像融合モジュールを含むデジタル処理システムであって、前記センサは、前記デジタル処理システムに動作可能に接続される、デジタル処理システムと、
を含む撮像システムであって、
前記画像融合モジュールにより使用される画像融合方法は、計算ベースの融合方法、統計ベースの融合方法、および比率ベースの融合方法から成る群から選択される、撮像システム。
【請求項３７】
前記ビデオカメラは、セキュリティ用ビデオカメラ、観察用ビデオカメラ、または監視用ビデオカメラから成る群から選択される、請求項３６に記載の撮像システム。
【請求項３８】
前記カラーデジタルセンサからのビデオ画像フレームのストリームは、少なくとも３つのスペクトル帯を含む複数スペクトル画像フレームである、請求項３６または３７に記載の撮像システム。